(57)【要約】【課題】縫製時における上糸の暴れを抑える。【解決手段】ミシン１は、一端がミシンアーム２から外部に向けて突出するように設けられるとともに、その一端に上糸Ｔが挿通される糸挿通部３１が形成され、当該糸挿通部３１の上下動により糸供給源から上糸Ｔを繰り出す天秤３と、ミシンアーム２の顎部２ａに設けられ、糸挿通部３１に挿通された上糸Ｔを案内する第１の糸案内部６と、縫い針１１を保持する針棒１２に設けられ、第１の糸案内部６によって案内された上糸Ｔを縫い針１１の針穴１１ａに案内する第２の糸案内部７と、糸挿通部３１が下死点にあるときの当該糸挿通部３１から第１の糸案内部６にわたって上糸Ｔを連続的に案内する第３の糸案内部８と、を備える。【選択図】図１
2006334264.tif 000002
【特許請求の範囲】
【請求項１】
一端がミシンアームから外部に向けて突出するように設けられるとともに、その一端に上糸が挿通される糸挿通部が形成され、当該糸挿通部の上下動により糸供給源から上糸を繰り出す天秤と、
前記ミシンアームの顎部に設けられ、前記糸挿通部に挿通された上糸を案内する第１の糸案内部と、
縫い針を保持する針棒に設けられ、前記第１の糸案内部によって案内された上糸を前記縫い針の針穴に案内する第２の糸案内部と、
前記糸挿通部が下死点にあるときの当該糸挿通部から前記第１の糸案内部にわたって上糸を連続的に案内する第３の糸案内部と、
を備えることを特徴とするミシン。
【請求項２】
前記第３の糸案内部は、
前記ミシンアームの表面に設けられ、前記糸挿通部が下死点にあるときの当該糸挿通部の高さを一端とし、前記第１の糸案内部の上部を他端とし、前記上糸を挿通可能な管状部材を備えることを特徴とする請求項１に記載のミシン。
【請求項３】
前記管状部材を、当該管状部材が設けられる前記ミシンアームの表面に沿うように形成したことを特徴とする請求項２に記載のミシン。
【請求項４】
前記第３の糸案内部は、
前記糸挿通部が下死点にあるときの当該糸挿通部の高さから前記第１の糸案内部の上部にわたって前記ミシンアーム内を貫通し、前記上糸を挿通可能な貫通孔を有することを特徴とする請求項１に記載のミシン。
【発明の詳細な説明】
【技術分野】
【０００１】
本発明は、天秤と縫い針の間における上糸の経路に糸案内を備えるミシンに関する。
【背景技術】
【０００２】
ミシンには、駆動源となるミシンモータや、このミシンモータの駆動を針棒や押さえに伝達する駆動伝達機構等を内蔵するミシンアームが設けられている。また、ミシンには、上下動により糸供給源から上糸を繰り出す天秤が設けられており、天秤は駆動伝達機構により上下動するようになっている。
図３に示すように、ミシンアーム１０１には、天秤１０２が上下動する際の移動経路となる溝１０３がミシンアーム１０１の上下方向に形成されており、天秤１０２は、一端が駆動伝達機構（図示略）に連結され、他端１０２ａがその溝１０３からミシンアーム１０１の外部に突出するように設けられている。そして、天秤１０２の他端１０２ａに上糸１０４を挿通させ、天秤１０２を上下動させることにより、糸供給源（図示略）から上糸１０４が繰り出される。
【０００３】
天秤１０２の他端１０２ａに挿通された上糸１０４は、ミシンアーム１０１表面に設けられたアーム糸案内１０５に案内され、次いで、ミシンアーム１０１の顎部１０１ａに設けられた針棒糸案内１０６に案内され、次いで、針棒１０７に設けられた針棒糸掛け１０８に案内されて、縫い針１０９の針穴１０９ａに挿通されている。これらは所定間隔おきに設けられ、上糸１０４に適度な張力を与えることにより、縫製時の上糸１０４の弛みや暴れを抑えることができるようになっている。
【０００４】
また、縫製時おける上糸の暴れを防止する糸案内として、天秤と縫い針の間に上糸を挟持する挟持部を設け、回転釜により上糸ループを捕捉する際に挟持部により上糸を挟持し、上糸の供給の際及び糸締めの際に上糸を解放する糸案内が開示されている（例えば、特許文献１参照。）。
【特許文献１】特開平３−２１８７９４号公報
【発明の開示】
【発明が解決しようとする課題】
【０００５】
しかし、従来の糸案内はいずれも上糸を点で押さえているため、糸案内間の上糸が暴れやすいという問題があった。そこで、糸案内で上糸を局部的に強固に押さえ付けることも考えられるが、糸案内における上糸が暴れようとする力は糸案内間の上糸に逃げるため、逆に糸案内間の上糸が大きく暴れてしまうという問題があった。
【０００６】
そこで、本発明は、上記課題を解決するためになされたものであり、縫製時における上糸の暴れを抑えることができるミシンを提供することを目的とする。
【課題を解決するための手段】
【０００７】
以上の課題を解決するため、請求項１に記載の発明は、ミシンにおいて、一端がミシンアームから外部に向けて突出するように設けられるとともに、その一端に上糸が挿通される糸挿通部が形成され、当該糸挿通部の上下動により糸供給源から上糸を繰り出す天秤と、前記ミシンアームの顎部に設けられ、前記糸挿通部に挿通された上糸を案内する第１の糸案内部と、縫い針を保持する針棒に設けられ、前記糸案内部によって案内された上糸を前記縫い針の針穴に案内する第２の糸案内部と、前記糸挿通部が下死点にあるときの当該糸挿通部から前記第１の糸案内部にわたって上糸を連続的に案内する第３の糸案内部と、を備えることを特徴とする。
【０００８】
請求項１に記載の発明によれば、縫製中は縫い針の上下動とともに天秤も上下動するため、天秤の糸挿通部と縫い針の針穴の間の上糸、特に糸挿通部と第１の糸案内部の間の上糸は暴れやすくなる。ここで、第３の糸案内部は糸挿通部が下死点にあるときの当該糸挿通部から第１の糸案内部にわたって上糸を連続的に案内するため、縫い針の下降とともに天秤の糸挿通部が下死点まで下降して糸供給源から糸を繰り出す際には、糸挿通部と第１の糸案内部の間の上糸を全域にわたって案内する。
これにより、糸挿通部と縫い針の針穴の間で上糸が案内される領域が大幅に増加するため、上糸の暴れを抑えることができる。また、縫製時における糸挿通部と第１の糸案内部の間の上糸の状態は縫製の品質に与える影響が最も大きいため、第３の糸案内部を備えることにより、縫製の品質を向上させることができる。
【０００９】
請求項２に記載の発明は、請求項１に記載のミシンにおいて、前記第３の糸案内部は、前記ミシンアームの表面に設けられ、前記糸挿通部が下死点にあるときの当該糸挿通部の高さを一端とし、前記第１の糸案内部の上部を他端とし、前記上糸を挿通可能な管状部材を備えることを特徴とする。
【００１０】
請求項２に記載の発明によれば、管状部材に上糸を挿通することにより、上糸は周囲全方向への暴れが規制されるため、上糸の暴れを確実に抑えることができる。
また、上糸は、当該上糸の長尺方向に移動することでしか管状部材から抜けることはないため、上糸が抜けない糸案内として十分な機能を発揮することができる。
【００１１】
請求項３に記載の発明は、請求項２に記載のミシンにおいて、前記管状部材を、当該管状部材が設けられる前記ミシンアームの表面に沿うように形成したことを特徴とする。
【００１２】
請求項３に記載の発明によれば、管状部材のミシンアームへの接触面積が増えるのでミシンアームへの取り付けが容易となる。また、取り付けたときに管状部材とミシンアームとの間に隙間ができないため、管状部材の取り付けに必要なスペースを最小限とすることができる。また、取り付けたときに管状部材がミシンアームと一体化されているように見えるため、取り付けたときの美感を向上させることができる。
【００１３】
請求項４に記載の発明は、請求項１に記載のミシンにおいて、前記第３の糸案内部は、前記糸挿通部が下死点にあるときの当該糸挿通部の高さから前記第１の糸案内部の上部にわたって前記ミシンアーム内を貫通し、前記上糸を挿通可能な貫通孔を有することを特徴とする。
【００１４】
請求項４に記載の発明によれば、貫通孔とすることにより、請求項１のように、管状部材を設けなくても、糸挿通部が下死点にあるときの当該糸挿通部の高さから第１の糸案内部の上部にわたって上糸を連続的に案内することができる。
これにより、別途部品を設ける必要がなく、部品点数を増やさなくても糸挿通部と縫い針の針穴の間で上糸が案内される領域が大幅に増加するため、上糸の暴れを抑えることができる。
【発明の効果】
【００１５】
請求項１に記載の発明によれば、糸挿通部と縫い針の針穴の間で上糸が案内される領域が大幅に増加するため、上糸の暴れを抑えることができる。また、縫製時における糸挿通部と第１の糸案内部の間の上糸の状態は縫製の品質に与える影響が最も大きいため、第３の糸案内部を備えることにより、縫製の品質を向上させることができる。
【００１６】
請求項２に記載の発明によれば、管状部材に上糸を挿通することにより、上糸は周囲全方向への暴れが規制されるため、上糸の暴れを確実に抑えることができる。
また、上糸は、当該上糸の長尺方向に移動することでしか管状部材から抜けることはないため、上糸が抜けない糸案内として十分な機能を発揮することができる。
【００１７】
請求項３に記載の発明によれば、管状部材のミシンアームへの接触面積が増えるのでミシンアームへの取り付けが容易となる。また、取り付けたときに管状部材とミシンアームとの間に隙間ができないため、管状部材の取り付けに必要なスペースを最小限とすることができる。また、取り付けたときに管状部材がミシンアームと一体化されているように見えるため、取り付けたときの美感を向上させることができる。
【００１８】
請求項４に記載の発明によれば、別途部品を設ける必要がなく、部品点数を増やさなくても糸挿通部と縫い針の針穴の間で上糸が案内される領域が大幅に増加するため、上糸の暴れを抑えることができる。
【発明を実施するための最良の形態】
【００１９】
以下、図面を参照して、本発明に係るミシンの最良の形態について詳細に説明する。
＜ミシンの構成＞
図１に示すように、ミシン１には、中空状に形成されたミシンアーム２が設けられている。このミシンアーム２の内部には、駆動源となるミシンモータ（図示略）、ミシンアーム２の右側面の上部において上下動を行う天秤３の駆動機構等（図示略）が収納されている。
【００２０】
ミシンアーム２には、その先端側の面部に対する右側面上方から上面にわたって当該ミシンアーム２の上下方向に沿って連続する貫通溝２１が形成されている。具体的には、貫通溝２１は、天秤３の移動経路に沿って天秤３の上下動が可能となるように形成されている。
天秤３は、略棒状に形成され、一端が貫通溝２１から外部に向けて突出するように設けられるとともに、その一端に上糸Ｔが挿通される糸挿通部３１が形成され、当該糸挿通部３１の上下動により糸供給源（図示略）から上糸Ｔを繰り出すものである。天秤３の他端は、ミシンアーム２内に設けられた駆動機構に連結され、ミシンモータの駆動に伴い、縫い針１１の上下動に同期して天秤３の糸挿通部３１を上下動させることができるようになっている。すなわち、天秤３の上昇によって、針板の下側で釜機構によりループ形成が行われた縫い針１１を上方に引き上げて、ループを解消し、上糸Ｔを緊張させて縫い目を形成する。
【００２１】
ミシンアーム２の表面には、ミシンアーム２の先端側の面部に対する右側面の上部に第１の糸調子装置４が設けられ、同じく右側面の下部に第２の糸調子装置５が設けられている。
第１の糸調子装置４及び第２の糸調子装置５は、一対の糸調子皿と、互いの糸調子皿同士を押圧するバネと、バネの押圧力を調節する調節ネジとを備え、一対の糸調子皿の間に上糸Ｔを通すことで挟持され、糸供給源から繰り出される上糸Ｔに対して張力を付与する。
【００２２】
また、ミシンアーム２の表面には、ミシンアーム２の顎部２ａに設けられ、天秤３の糸挿通部３１に挿通された上糸Ｔを案内する第１の糸案内部６と、縫い針１１を保持する針棒１２に設けられ、第１の糸案内部６によって案内された上糸Ｔを縫い針１１の針穴１１ａに案内する第２の糸案内部７と、糸挿通部３１が下死点にあるときの当該糸挿通部３１から第１の糸案内部６にわたって上糸Ｔを連続的に案内する第３の糸案内部としての管状部材８と、第２の糸調子装置５と天秤３の間における上糸Ｔを案内する第４の糸案内部９と、第４の糸案内部９と天秤３の間における上糸Ｔを案内する第５の糸案内部１０と、が設けられている。
【００２３】
第１の糸案内部６は、ミシンアーム２の顎部２ａの略下端に設けられ、Ｕ字状に形成され、管状部材８により当該第１の糸案内部６に案内された上糸Ｔを第２の糸案内部７に案内するものである。
第２の糸案内部７は、筒状に形成されて針棒１２の下端に装着されており、第１の糸案内部６により当該第２の糸案内部７に案内された上糸Ｔを縫い針１１の針穴１１ａに案内するものである。
【００２４】
管状部材８は、ミシンアーム２の表面に設けられ、横断面が円形に形成されるとともに、糸挿通部３１が下死点にあるときの当該糸挿通部３１近傍を一端とし、第１の糸案内部６近傍を他端とし、上糸Ｔを挿通可能に形成されている。また、管状部材８は、当該管状部材８が設けられるミシンアーム２の表面に沿うように形成されている。
これにより、下死点に到達した糸挿通部３１に挿通された上糸Ｔは、すぐに管状部材８の一端から内部に引き込まれ、管状部材８の他端から出た上糸Ｔはすぐに第１の糸案内部６に案内される構成となっている。また、糸挿通部３１が上死点にあっても、糸挿通部３１に挿通された上糸Ｔは、糸挿通部３１の下死点近傍で管状部材８に引き込まれるため、図１に示すように、糸挿通部３１から第１の糸案内部６にわたる上糸Ｔの略半分は、管状部材８によって水平方向への動きが規制される。
管状部材８の内径は、上糸Ｔを挿通させることが容易となるように上糸Ｔの断面よりも十分に大きく、かつ、上糸Ｔが大きく暴れない程度の範囲内とすることが好ましい。
【００２５】
第４の糸案内部９は、第２の糸調子装置５に設けられた糸取りバネ５１に掛け渡された上糸Ｔが糸取りバネ５１の弾性を受ける方向に上糸Ｔを案内するものである。
第５の糸案内部１０は、Ｕ字状に屈曲形成され、その内側に上糸Ｔを挿通させ、上糸Ｔを案内するとともに上糸Ｔの弛みを防止するものである。
【００２６】
すなわち、糸供給源から繰り出された上糸Ｔは、第１の糸調子装置４及び第２の糸調子装置５に張力を付与され、第２の糸調子装置５から出た上糸Ｔは、第４の糸案内部９に案内され、第４の糸案内部９に案内された上糸Ｔは第５の糸案内部１０に案内され、第５の糸案内部１０に案内された上糸Ｔは糸挿通部３１に挿通され、糸挿通部３１に挿通された上糸Ｔは管状部材８に挿通され、管状部材８に挿通された上糸Ｔは第１の糸案内部６に案内され、第１の糸案内部６に案内された上糸Ｔは第２の糸案内部７に案内され、第２の糸案内部７に案内された上糸Ｔは縫い針１１の針穴１１ａに挿通される。
【００２７】
＜ミシンの作用効果＞
実施形態のミシン１によれば、縫製を開始すると、ミシンモータの駆動により針棒１２が上下動し、この針棒１２の上下動により縫い針１１も上下動し、縫い針１１の上下動とともに天秤３の糸挿通部３１も上下動する。糸挿通部３１は、貫通溝２１に沿って上下動し、この糸挿通部３１の上下動によって上糸Ｔも上下方向に振られるので、天秤３の糸挿通部３１と縫い針１１の針穴１１ａの間の上糸Ｔ、特に糸挿通部３１と第１の糸案内部６の間の上糸Ｔは、その間隔が最も長いため暴れやすくなる。
ここで、管状部材８は糸挿通部３１が下死点にあるときの当該糸挿通部３１の高さに一端が位置し、第１の糸案内部６に他端が位置するように設けられているため、縫い針１１の下降とともに天秤３の糸挿通部３１が下死点まで下降して糸供給源から上糸Ｔを繰り出す際には、糸挿通部３１を通り抜けた上糸Ｔはすぐに管状部材８に進入し、管状部材８内を伝ってミシンアーム２の顎部２ａから出るとすぐに第１の糸案内部６に案内される。
【００２８】
これにより、管状部材８は、糸挿通部３１と第１の糸案内部６の間の上糸Ｔを全域にわたって案内するため、糸挿通部３１と縫い針１１の針穴１１ａの間で上糸Ｔが案内される領域が大幅に増加し、上糸Ｔの暴れを抑えることができる。また、縫製時における糸挿通部３１と第１の糸案内部６の間の上糸Ｔの状態は縫製の品質に与える影響が最も大きいため、管状部材８を設けることにより、縫製の品質を向上させることができる。
また、管状部材８の内部に上糸Ｔを挿通させることにより、上糸Ｔは周囲全方向への暴れが規制されるため、上糸Ｔの暴れを確実に抑えることができる。
また、上糸Ｔは、当該上糸Ｔの長尺方向に移動することでしか管状部材８から抜けることはないため、上糸Ｔが抜けない糸案内としても十分な機能を発揮することができる。
また、管状部材８をミシンアーム２の表面に沿って形成することにより、管状部材８のミシンアーム２への接触面積が増えるのでミシンアーム２への取り付けが容易となる。また、取り付けたときに管状部材８とミシンアーム２との間に隙間ができないため、管状部材８の取り付けに必要なスペースを最小限とすることができる。また、取り付けたときに管状部材８がミシンアーム２と一体化されているように見えるため、取り付けたときの美感を向上させることができる。
【００２９】
＜変形例＞
なお、本発明は上記実施形態に限られるものではない。
例えば、変形例のミシン１Ａとして、図２に示すように、図１における管状部材８が設けられるミシンフレーム２の位置、すなわち、糸挿通部３１が下死点にあるときの当該糸挿通部３１から第１の糸案内部６にわたり、管状部材８に代えて、ミシンアーム２内を貫通し、上糸Ｔを挿通可能な貫通孔８Ａを形成してもよい。
【００３０】
このような構成とすることにより、上記のように、ミシンアーム２の表面に管状部材８を設けなくても、糸挿通部３１が下死点にあるときの当該糸挿通部３１から第１の糸案内部６にわたって上糸Ｔを連続的に案内することができる。
これにより、別途部品を設ける必要がなく、部品点数を増やさなくても糸挿通部３１と縫い針１１の針穴１１ａの間で上糸Ｔが案内される領域が大幅に増加するため、上糸Ｔの暴れを抑えることができる。
【００３１】
また、第１の糸案内部６と第３の糸案内部（管状部材８，貫通孔８Ａ）の他端とを一体に設けてもよい。これにより、第３の糸案内部の効果を維持しつつ、部品点数を減らすことができる。
【図面の簡単な説明】
【００３２】
【図１】管状部材を糸案内として用いたときのミシンの斜視図である。
【図２】貫通孔を糸案内として用いたときのミシンの斜視図である。
【図３】従来技術における糸案内を示すミシンの斜視図である。
【符号の説明】
【００３３】
１  ミシン
１Ａ  ミシン
２  ミシンアーム
２ａ  顎部
３  天秤
６  第１の糸案内部
７  第２の糸案内部
８  管状部材（第３の糸案内部）
８Ａ  貫通孔（第３の糸案内部）
１１  縫い針
１１ａ  針穴
１２  針棒
３１  糸挿通部
Ｔ  上糸
【図１】
2006334264.tif 000003
【図２】
2006334264.tif 000004
【図３】
2006334264.tif 000005